(57)【要約】【課題】高速通信の規格のセルと従来の規格とが混在した移動通信システムにおいても、データの配信を円滑に行い、かつ、ユーザの希望通りにコンテンツを提供する。【解決手段】配信サーバ５バから送信されたデータＭＤ０に対して特定の処理を施すことによってそれよりもサイズの小さいデータＭＤ１を生成するデータ変換蓄積サーバ３を設ける。基地局制御装置２に、データＭＤ０、ＭＤ１のいずれか一方を選択的に携帯電話端末１に転送するデータ転送手段と、データＭＤ０を受信中でありかつＨＳＤＰＡ対応無線基地局４に接近している携帯電話端末１を検知する接近移動機検知手段と、を設ける。そして、データ転送手段は、接近移動機検知手段によって検知された携帯電話端末１に対しては、検知された後は、データＭＤ０を送信するのを停止し、その代わりに、その第一のデータの未転送の部分に係るデータＭＤ２を転送し始める。【選択図】図１
2008166871.tif 000002
【特許請求の範囲】
【請求項１】
第一の通信規格によって移動機と通信を行う第一の無線基地局と、前記第一の通信規格よりも低速である第二の通信規格によって移動機と通信を行う第二の無線基地局と、によって構成される移動通信システムにおいて用いられる、データ転送システムであって、
サーバから送信された第一のデータに対して特定の処理を施すことによって当該第一のデータよりもサイズの小さい第二のデータを生成する縮小データ生成手段と、
前記第一のデータおよび前記縮小データ生成手段によって生成された当該第一のデータに係る前記第二のデータのうちのいずれか一方を選択的に移動機に転送するデータ転送手段と、
前記第一のデータを受信中でありかつ前記第二の無線基地局に接近している移動機を検知する接近移動機検知手段と、を有し、
前記データ転送手段は、前記接近移動機検知手段によって検知された移動機に対しては、検知された後は、前記第一のデータを送信するのを停止し、その代わりに、前記縮小データ生成手段によって生成された、当該第一のデータの未転送の部分に係る前記第二のデータを転送し始める、
ことを特徴とするデータ転送システム。
【請求項２】
前記第二のデータを受信中でありかつ前記第一の無線基地局にハンドオーバされた移動機を検知するハンドオーバ移動機検知手段、を有し、
前記データ転送手段は、前記ハンドオーバ移動機検知手段によって検知された移動機に対しては、検知された後は、前記第二のデータを送信するのを停止し、その代わりに、当該第二のデータの未転送の部分の前記第一のデータを転送し始める、
請求項１記載のデータ転送システム。
【請求項３】
前記第一のデータは、動画像を再生するためのデータであって、
前記縮小データ生成手段は、前記第一のデータに係る動画像の画質を落とすことによって前記第二のデータを生成する、
請求項１または請求項２記載のデータ転送システム。
【請求項４】
前記縮小データ生成手段は、前記第二の無線基地局から移動機への通信速度に応じて前記第一のデータに係る動画像の画質を落とすことによって前記第二のデータを生成する、
請求項３記載のデータ転送システム。
【請求項５】
前記第一のデータは、動画像および音声を再生するためのデータであって、
前記縮小データ生成手段は、動画像を再生する部分のデータを前記第一のデータから削除することによって前記第二のデータを生成する、
請求項１または請求項２記載のデータ転送システム。
【請求項６】
第一の通信規格によって移動機と通信を行う第一の無線基地局と、前記第一の通信規格よりも低速である第二の通信規格によって移動機と通信を行う第二の無線基地局と、によって構成される移動通信システムにおいて、
サーバから配信されるデータを移動機に中継する中継手段と、
前記データを受信中でありかつ前記第二の無線基地局に接近している移動機を検知する接近移動機検知手段と、
前記接近移動機検知手段によって検知された移動機に前記データを中継するのを前記中継手段に停止させる、中継停止制御手段と、
前記中継手段が移動機に対して前記データを中継するのを停止した後、前記サーバから配信される前記データの残りの部分を当該移動機のために蓄積する、蓄積手段と、
前記接近移動機検知手段によって検知された移動機のうち、前記第二の無線基地局から前記第一の無線基地局にハンドオーバした移動機を検知する、ハンドオーバ移動機検知手段と、
前記ハンドオーバ移動機検知手段によって検知された移動機に対して前記蓄積手段に当該移動機のために蓄積した前記データの残りの部分を中継するように、前記中継手段を制御する、中継再開制御手段と、
を有することを特徴とするデータ転送システム。
【請求項７】
第一の通信規格によって移動機と通信を行う第一の無線基地局と、前記第一の通信規格よりも低速である第二の通信規格によって移動機と通信を行う第二の無線基地局と、によって構成される移動通信システムにおいて用いられる、接近通知システムであって、
前記第一の無線基地局と通信を行っておりかつ前記第二の無線基地局に接近している移動機を検知する接近移動機検知手段と、
前記接近移動機検知手段によって検知された移動機に対して、前記第二の無線基地局に接近している旨を通知する、接近通知手段と、
を有することを特徴とする接近通知システム。
【請求項８】
第一の通信規格によって移動機と通信を行う第一の無線基地局と、前記第一の通信規格よりも低速である第二の通信規格によって移動機と通信を行う第二の無線基地局と、によって構成される移動通信システムにおいて、
第一のデータを送信するサーバと前記第一の無線基地局および前記第二の基地局との間にデータ転送システムを設けておき、
前記データ転送システムに、
サーバから送信された第一のデータに対して特定の処理を施すことによって当該第一のデータよりもサイズの小さい第二のデータを生成する縮小データ生成手段と、
前記第一のデータおよび前記縮小データ生成手段によって生成された当該第一のデータに係る前記第二のデータのうちのいずれか一方を選択的に移動機に転送するデータ転送手段と、
前記第一のデータを受信中でありかつ前記第二の無線基地局に接近している移動機を検知する接近移動機検知手段と、を設けておき、
前記接近移動機検知手段によって移動機が検知された場合に、
前記データ転送手段に、当該移動機に前記第一のデータを送信するのを停止させ、その代わりに、前記縮小データ生成手段によって生成された、当該第一のデータの未転送の部分に係る前記第二のデータを転送させる、
ことを特徴とするデータ転送方法。
【発明の詳細な説明】
【技術分野】
【０００１】
本発明は、携帯電話システム、ＰＨＳ、または無線ＬＡＮなどの技術を用いた移動通信システムにおいてマルチメディアデータなどを配信サーバから移動機に転送するシステムおよび方法などに関する。
【背景技術】
【０００２】
Ｗ−ＣＤＭＡ（Wideband Code Division Multiple Access）による移動通信システムにおいて、移動機（端末装置）への通信つまり下りの通信の速度を向上させる技術として、「ＨＳＤＰＡ（High Speed Downlink Packet Access）」が提唱されている。
【０００３】
ＨＳＤＰＡは、Ｗ−ＣＤＭＡの技術的な仕様を大幅に変更することなく、下りの通信の高速化および効率化を図ることができる。現在のＷ−ＣＤＭＡによると下りの通信の速度は最高で２Ｍｂｐｓであるが、ＨＳＤＰＡを使用すると、１４Ｍｂｐｓ程度まで向上させることができる。
【０００４】
今後、ＨＳＤＰＡが普及すると、従来は困難であった、高解像度の動画像を含むコンテンツつまり大量のビットレートを必要とするコンテンツの配信サービスが普及することが、予想される。
【特許文献１】特表２００６−５００８０８号公報
【特許文献２】特表２００６−５０３４６３号公報
【発明の開示】
【発明が解決しようとする課題】
【０００５】
ＨＳＤＰＡを使用して高解像度の動画像を含むコンテンツを移動機に配信するには、次のような課題が存在する。
【０００６】
ＨＳＤＰＡによる通信のサービスを開始してから当分の間は、係る通信のサービスを受けられるセルが、徐々に増えてゆく。よって、係る通信のサービスを受けられるセルと従来のセルとが混在する。
【０００７】
したがって、ユーザがＨＳＤＰＡのセルから従来のセルに移動するのに伴って、移動機がコンテンツを円滑に受信することができなくなってしまうことが、起こり得る。そうすると、ユーザの希望通りにコンテンツを提供できなくなるおそれがある。
【０００８】
そこで、特許文献１、２に記載される方法を用いることが考えられる。特許文献１に記載される方法によると、下りの通信の速度に応じてストリーミングサーバからのデータの送信のビットレートを変更する。
【０００９】
特許文献２に記載される方法によると、セルの再選択の後に、このセルの再選択のためにモバイルクライアント装置が受信できなかったストリーミングメディアを再送するように、ストリーミングサーバに対して要求する。
【００１０】
しかし、特許文献１、２に記載されるような従来の方法によると、ストリーミングサーバに対して要求を行うので、ストリーミングサーバに負担が掛かってしまう。ストリーミングサーバへの負荷が過大になると、データの配信が円滑に行えなくなってしまう。
【００１１】
本発明は、このような問題点に鑑み、ＨＳＤＰＡのような新たな高速通信の規格のセルと従来の規格とが混在した移動通信システムにおいても、データの配信を従来よりも円滑に行い、かつ、ユーザの希望通りにコンテンツを提供できるようにすることを、目的とする。
【課題を解決するための手段】
【００１２】
本発明に係るデータ転送システムは、第一の通信規格によって移動機と通信を行う第一の無線基地局と、前記第一の通信規格よりも低速である第二の通信規格によって移動機と通信を行う第二の無線基地局と、によって構成される移動通信システムにおいて用いられる、データ転送システムであって、サーバから送信された第一のデータに対して特定の処理を施すことによって当該第一のデータよりもサイズの小さい第二のデータを生成する縮小データ生成手段と、前記第一のデータおよび前記縮小データ生成手段によって生成された当該第一のデータに係る前記第二のデータのうちのいずれか一方を選択的に移動機に転送するデータ転送手段と、前記第一のデータを受信中でありかつ前記第二の無線基地局に接近している移動機を検知する接近移動機検知手段と、を有し、前記データ転送手段は、前記接近移動機検知手段によって検知された移動機に対しては、検知された後は、前記第一のデータを送信するのを停止し、その代わりに、前記縮小データ生成手段によって生成された、当該第一のデータの未転送の部分に係る前記第二のデータを転送し始める、ことを特徴とする。
【００１３】
または、サーバから配信されるデータを移動機に中継する中継手段と、前記データを受信中でありかつ前記第二の無線基地局に接近している移動機を検知する接近移動機検知手段と、前記接近移動機検知手段によって検知された移動機に前記データを中継するのを前記中継手段に停止させる、中継停止制御手段と、前記中継手段が移動機に対して前記データを中継するのを停止した後、前記サーバから配信される前記データの残りの部分を当該移動機のために蓄積する、蓄積手段と、前記接近移動機検知手段によって検知された移動機のうち、前記第二の無線基地局から前記第一の無線基地局にハンドオーバした移動機を検知する、ハンドオーバ移動機検知手段と、前記ハンドオーバ移動機検知手段によって検知された移動機に対して前記蓄積手段に当該移動機のために蓄積した前記データの残りの部分を中継するように、前記中継手段を制御する、中継再開制御手段と、を有することを特徴とする。
【００１４】
本発明に係る接近通知システムは、第一の通信規格によって移動機と通信を行う第一の無線基地局と、前記第一の通信規格よりも低速である第二の通信規格によって移動機と通信を行う第二の無線基地局と、によって構成される移動通信システムにおいて用いられる、接近通知システムであって、前記第一の無線基地局と通信を行っておりかつ前記第二の無線基地局に接近している移動機を検知する接近移動機検知手段と、前記接近移動機検知手段によって検知された移動機に対して、前記第二の無線基地局に接近している旨を通知する、接近通知手段と、を有することを特徴とする。
【発明の効果】
【００１５】
本発明によると、ＨＳＤＰＡのような新たな高速通信の規格のセルと従来の規格とが混在した移動通信システムにおいても、データの配信を従来よりも円滑に行い、かつ、ユーザの希望通りにコンテンツを提供することができる。
【発明を実施するための最良の形態】
【００１６】
図１は携帯電話システム１ＫＳの全体的な構成の例を示す図、図２は携帯電話端末１の構成の例を示す図、図３はデータ変換蓄積サーバ３のハードウェア構成の例を示す図、図４はデータ変換蓄積サーバ３の機能的構成の例を示す図、図５は動画像変換定義データベース３１１の例を示す図、図６は動画像変換部位予約データベース３１２の例を示す図、図７は基地局制御装置２の構成の例を示す図、図８は通信中端末情報管理データベース２０９の例を示す図である。
【００１７】
携帯電話システム１ＫＳは、図１に示すように、携帯電話端末１、基地局制御装置２、データ変換蓄積サーバ３、無線基地局４、およびＧＰＲＳサポートノード６などによって構成される、Ｗ−ＣＤＭＡ（Wideband Code Division Multiple Access）の規格に基づく移動通信システムである。
【００１８】
ＧＰＲＳサポートノード６は、従来と同様に、基地局制御装置２と外部のネットワーク（例えば、インターネットなどのＩＰネットワークまたは他のキャリアの移動通信システムのネットワーク）との間でデータの交換を行う。「ＧＳＮ」などと略称で呼ばれることもある。特に、本実施形態では、配信サーバ５から送信される動画像および音声のデータ、つまり、マルチメディアコンテンツのデータを携帯電話端末１に中継する処理および携帯電話端末１からのマルチメディアコンテンツのリクエストを配信サーバ５に中継する処理を行う。
【００１９】
なお、配信サーバ５は、映画、コンサート、スポーツ中継、ニュース、授業などのマルチメディアコンテンツのデータを配信するストリーミングサーバである。以下、マルチメディアコンテンツを再生するためのデータを「マルチメディアデータ」と記載する。配信サーバ５は、マルチメディアデータをストリーミング技術によって配信するので、後に説明する携帯電話端末１は、マルチメディアデータをすべてダウンロードし終えてからマルチメディアコンテンツを再生するのではなく、ダウンロードしながら再生する。
【００２０】
無線基地局４は、従来と同様に、基地局制御装置２からの制御信号に従って、携帯電話端末１との間で無線信号の送受信を行う。「Ｎｏｄｅ−Ｂ」、「基地局」、「無線局」、「ＢＳ（Base Station）」、または「ＢＴＳ（Base Transceiver Station）」などと呼ばれることもある。携帯電話システム１ＫＳには、ＨＳＤＰＡ（High Speed Downlink Packet Access）による通信を行う無線基地局４と、ＨＳＤＰＡに非対応の無線基地局４とが混在している。以下、ＨＳＤＰＡによる通信を行う無線基地局４およびＨＳＤＰＡに非対応の無線基地局４をそれぞれ「ＨＳＤＰＡ対応無線基地局４Ｈ」および「ＨＳＤＰＡ非対応無線基地局４Ｎ」と区別して記載することがある。
【００２１】
ＨＳＤＰＡ非対応無線基地局４Ｎは、最高で２Ｍｂｐｓ程度の速さでしか携帯電話端末１にデータを送信することができないが、ＨＳＤＰＡ対応無線基地局４Ｈは、最高で約１４Ｍｂｐｓの速さで、携帯電話端末１にデータを送信することができる。
【００２２】
携帯電話端末１は、ユーザが使用する端末装置である。「移動機」、「移動局」、または「ＭＳ（Mobile Station）」などと呼ばれることもある。
【００２３】
携帯電話端末１は、図２に示すような、コンテンツ選択処理部１０１、ヒューマンインタフェース部１０２、無線通信制御部１０３、データ要求制御部１０４、およびコンテンツ再生部１０５などによって構成される。
【００２４】
無線通信制御部１０３は、無線基地局４との間で通信を行うモジュールである。ヒューマンインタフェース部１０２は、液晶パネル、スピーカ、マイク、および操作ボタンなどからなる、ＨＭＩ（Human Machine Interface）である。無線通信制御部１０３およびヒューマンインタフェース部１０２は、従来のＭＳに備わっているものと同じである。
【００２５】
コンテンツ選択処理部１０１は、マルチメディアコンテンツのタイトルなどの情報を配信サーバ５から取得し、配信を受けるマルチメディアコンテンツをユーザに選択させるための一覧画面をヒューマンインタフェース部１０２の操作パネルに表示させる。
【００２６】
データ要求制御部１０４は、一覧画面の中からユーザが選択したマルチメディアコンテンツのマルチメディアデータを配信するように、現在、その携帯電話端末１が位置するセルの無線基地局４を介して配信サーバ５に対して要求する。
【００２７】
データ要求制御部１０４およびコンテンツ選択処理部１０１の上述の処理は、従来通り、アプリケーションをＣＰＵで実行することによって実現される。本実施形態では、さらに、コンテンツ選択処理部１０１は、マルチメディアデータの配信を受けている最中にその携帯電話端末１がＨＳＤＰＡ非対応無線基地局４Ｎのセルに移動した場合にどのような方法でそのマルチメディアデータの残りの部分の配信を受けるのかをユーザに選択させる画面を操作パネルに表示させる。データ要求制御部１０４は、ユーザが選択した配信方法を示す配信方法データ８Ｂを、無線基地局４を介して基地局制御装置２に送信する。これらの処理も、アプリケーションによって実現される。
【００２８】
コンテンツ再生部１０５は、無線通信制御部１０３によって受信されたマルチメディアデータを用いて、マルチメディアコンテンツを再生する。コンテンツ再生部１０５は、既存のアプリケーションによって実現される。
【００２９】
ユーザは、次の（方法Ａ）〜（方法Ｃ）のうちのいずれかを、ＨＳＤＰＡ非対応無線基地局４Ｎのセルに移動した場合の配信方法として指定することができる。
（方法Ａ）  画質を落として継続：マルチメディアコンテンツの中の動画像の画質を落としてマルチメディアデータの配信を受ける。
（方法Ｂ）  音声のみ受信：マルチメディアコンテンツの中の音声のみの配信を受ける。つまり、動画像をカットする。
（方法Ｃ）  サーバに蓄積：ＨＳＤＰＡ非対応無線基地局４Ｎと通信を行っている間は一時的にマルチメディアデータの配信を受けるのを停止し、続きの部分をデータ変換蓄積サーバ３に蓄積する。そして、ＨＳＤＰＡ対応無線基地局４Ｈとの通信が再び可能になったら、蓄積した部分からマルチメディアデータの配信を受けるのを再開する。
【００３０】
図１に戻って、データ変換蓄積サーバ３は、上記の（方法Ａ）〜（方法Ｃ）を実現するための処理を行う。つまり、ＨＳＤＰＡ非対応無線基地局４Ｎと通信中なので高速通信ができない携帯電話端末１のために、マルチメディアデータを、動画像の画質を落としたり、動画像をカットして音声のみにしたりすることによって、小さくする処理を行う。または、マルチメディアデータを蓄積しておき、携帯電話端末１がＨＳＤＰＡ対応無線基地局４Ｈとの通信を再開してから、そのままの質のマルチメディアデータを配信する処理を行う。
【００３１】
データ変換蓄積サーバ３は、図３に示すように、ＣＰＵ３０ａ、ＲＡＭ３０ｂ、ＲＯＭ３０ｃ、ハードディスク３０ｄ、および通信インタフェース３０ｅなどによって構成される。
【００３２】
通信インタフェース３０ｅは、基地局制御装置２と通信を行うためのＮＩＣ（Network Interface Card）または無線通信モジュールなどである。
【００３３】
ＲＯＭ３０ｃまたはハードディスク３０ｄには、図４に示すようなＲＮＣ通信制御部３０１、データ変換分析部３０２、データ変換等制御部３０３、変換配信部位プール部３０４、動画像変換定義データベース３１１、およびデータ変換部位予約データベース３１２などの機能を実現するためのコンピュータプログラムおよびデータがインストールされている。これらのコンピュータプログラムおよびデータは必要に応じてＲＡＭ３０ｂにロードされ、ＣＰＵ３０ａによってコンピュータプログラムが実行される。
【００３４】
図４において、ＲＮＣ通信制御部３０１は、基地局制御装置２との通信を行うために通信インタフェース３０ｅを制御する。
【００３５】
動画像変換定義データベース３１１には、図５に示すような、どれくらいの通信速度（伝送速度）のときにどれくらいの配信ビットレートでマルチメディアデータを送信するのが好ましいかを定義したデータが記憶されている。
【００３６】
なお、動画像変換定義データベース３１１の内容は、無線基地局４から携帯電話端末１への下り回線の通信のトラフィックなどネットワークに関する情報の統計結果に応じて、保守者が設定または変更を行う。伝送速度に対する配信ビットレートは、余裕を持って少し低めに設定するのが望ましい。
【００３７】
データ変換分析部３０２は、マルチメディアデータに対してどのような処理を施すのかを、基地局制御装置２から提供される情報を分析することによって、決定する。また、その結果に応じて、データ変換等制御部３０３または変換配信部位プール部３０４に、次のような処理を実行させる。
【００３８】
データ変換等制御部３０３は、マルチメディアデータのコーデックまたは蓄積の予約をデータ変換部位予約データベース３１２に登録する処理を行う。さらに、コーデックの予約を呼び出し、そのコーデックを実行する。特に、動画像の画質を落とし、または、動画像をカットし音声部分のみを残すことによって、マルチメディアデータのサイズを小さくするコーデックを行う。また、蓄積の予約を呼び出し、マルチメディアデータを所定の記憶領域に記憶させる処理を行う。
【００３９】
データ変換部位予約データベース３１２には、図６に示すように、どの携帯電話端末１に対してどのようなマルチメディアデータを配信するのかを示すデータが、登録されている。
【００４０】
変換配信部位プール部３０４は、データ変換等制御部３０３によってコーデックされたマルチメディアデータまたは蓄積されたマルチメディアデータが携帯電話端末１に宛てて配信されるように、ＲＮＣ通信制御部３０１に指令を与える。
【００４１】
図４に示す各部の詳細な処理内容は、携帯電話端末１のユーザが指定した、上述の（方法Ａ）〜（方法Ｃ）によって異なる。これについては、後に説明する。
【００４２】
図１に戻って、基地局制御装置２は、従来と同様に、通話を開始する携帯電話端末１に対する無線チャネルの設定（発着信接続制御）、携帯電話端末１の移動に伴うハンドオーバの制御、ダイバシチーハンドオーバ制御、チャネルの開放（終話制御）などが実行されるように、無線基地局４を制御する。基地局制御装置２は、「ＲＮＣ（Radio Network Controller）」または「ＢＳＣ（Base Station Controller）」などと呼ばれることもある。
【００４３】
また、基地局制御装置２は、配信サーバ５から発信されたマルチメディアデータを携帯電話端末１に中継する処理を行う。さらに、必要に応じて、マルチメディアデータに対する処理をデータ変換蓄積サーバ３に施させ、そのマルチメディアデータを携帯電話端末１に中継する。
【００４４】
基地局制御装置２は、図７に示すような、Ｂ−Ｎｏｄｅ通信部２０１、呼制御部２０２、ＧＳＮ通信部２０３、データ変換制御部２０４、配信データ切換制御部２０５、データ変換蓄積サーバ通信部２０６、ハンドオーバ制御部２０７、データ受信制御部２０８、通信中端末情報管理データベース２０９、およびデータ配信制御部２１０などが設けられている。これら全部または一部を、ハードウェアのみによって実現してもよいし、ソフトウェアをＣＰＵに実行させハードウェアを制御することによって実現してもよい。
【００４５】
ＧＳＮ通信部２０３は、ＧＰＲＳサポートノード６（ＧＳＮ）と通信を行う。Ｂ−Ｎｏｄｅ通信部２０１は、無線基地局４（Ｂ  Ｎｏｄｅ）と通信を行う。呼制御部２０２は、呼接続を制御する。ハンドオーバ制御部２０７は、携帯電話端末１の移動に伴って、その携帯電話端末１との通信を行う無線基地局４の切換えつまりハンドオーバの制御を行う。      
【００４６】
データ変換蓄積サーバ通信部２０６は、データ変換蓄積サーバ３と通信を行うハードウェアモジュールである。
【００４７】
データ変換制御部２０４は、マルチメディアデータの変換の処理または蓄積の処理をデータ変換蓄積サーバ３に実行させるための制御を行う。
【００４８】
配信データ切換制御部２０５は、携帯電話端末１に送信するマルチメディアデータの切換えの処理を行う。
【００４９】
データ受信制御部２０８は、上位ノードつまりＧＰＲＳサポートノード６から発信されＧＳＮ通信部２０３によって受信されたデータをデータ配信制御部２１０またはデータ変換蓄積サーバ通信部２０６に送出する。
【００５０】
データ配信制御部２１０は、マルチメディアデータが携帯電話端末１に配信されるようにＢ−Ｎｏｄｅ通信部２０１を制御する。
【００５１】
通信中端末情報管理データベース２０９には、図８に示すように、その基地局制御装置２の配下にある無線基地局４と現在通信中である携帯電話端末１ごとの端末管理データ８Ａが保存される。
【００５２】
端末管理データ８Ａにおいて、「端末識別番号」は、その端末管理データ８Ａに係る携帯電話端末１を他の携帯電話端末１と識別するための識別情報である。「使用中セル識別番号」は、その携帯電話端末１が現在通信を行っている無線基地局４のセルを他の無線基地局４のセルと識別するための識別情報である。
【００５３】
「通信状態」は、その携帯電話端末１が現在行っている下りの通信の状態を示す。「通信状態」が「パケット高速通信」である場合は、その携帯電話端末１が現在、ＨＳＤＰＡによる通信つまり高速通信を行っていることを、意味する。「パケット低速通信」である場合は、ＨＳＤＰＡによらない通信つまり低速通信を行っていることを、意味する。すなわち、「通信状態」が「パケット高速通信」であればその携帯電話端末１がＨＳＤＰＡ対応無線基地局４Ｈとパケット通信を行っており、「パケット低速通信」であればＨＳＤＰＡ非対応無線基地局４Ｎとパケット通信を行っていることが、分かる。
【００５４】
「動画配信方法」は、その携帯電話端末１がＨＳＤＰＡによる通信を行うことができない場合つまりＨＳＤＰＡ非対応無線基地局４Ｎのセルに位置する場合に、マルチメディアデータの配信をどのような方法で受けるのかを、示す。
【００５５】
その基地局制御装置２の配下の無線基地局４と携帯電話端末１とが新たに通信を開始すると、その携帯電話端末１の端末管理データ８Ａが通信中端末情報管理データベース２０９に登録される。なお、その端末管理データ８Ａの「配信方法」の値は、その携帯電話端末１から送信されてきた配信方法データ８Ｂに基づいている。
【００５６】
また、端末管理データ８Ａの「使用中セル識別番号」の値は、その携帯電話端末１が通信を行う相手がその基地局制御装置２の配下の他の無線基地局４にハンドオーバされるごとに、更新される。また、ハンドオーバされることによって、通信速度などの状態が変化した場合は、「通信状態」の値がそれに合わせて更新される。
【００５７】
ただし、通信の相手が他の基地局制御装置２の配下にある無線基地局４に変更（ハンドオーバ）された場合は、その端末管理データ８Ａは、通信中端末情報管理データベース２０９から削除される。その代わりに、当該他の基地局制御装置２の通信中端末情報管理データベース２０９に新たにその携帯電話端末１の端末管理データ８Ａが登録される。
【００５８】
また、携帯電話端末１が通信を終了した場合も、その携帯電話端末１の端末管理データ８Ａが通信中端末情報管理データベース２０９から削除される。
【００５９】
次に、配信サーバ５から発信されたマルチメディアデータを携帯電話端末１に中継する際の基地局制御装置２およびデータ変換蓄積サーバ３の各部の処理内容を、さらに詳細に説明する。
【００６０】
〔マルチメディアデータの配信の開始時の処理〕
図９は携帯電話端末１がＨＳＤＰＡ非対応無線基地局４Ｎに接近する前のマルチメディアデータＭＤ０の処理の流れの例を示す図である。
【００６１】
前述のように、ユーザは、配信サーバ５からマルチメディアデータの配信を受ける前に、低速通信時の配信方法を選択する。すると、その配信方法を示す配信方法データ８Ｂが、現在そのユーザの携帯電話端末１と通信を行っているＨＳＤＰＡ対応無線基地局４Ｈを制御する基地局制御装置２に送信される。その基地局制御装置２の通信中端末情報管理データベース２０９に記憶されているその携帯電話端末１の端末管理データ８Ａの「配信方法」に、その配信方法データ８Ｂの示す配信方法が登録される。
【００６２】
そして、従来通り、配信サーバ５から発信されたマルチメディアデータは、図９に丸数字で示す順番の通り、ＧＰＲＳサポートノード６、基地局制御装置２のＧＳＮ通信部２０３、データ受信制御部２０８、データ配信制御部２１０、Ｂ−Ｎｏｄｅ通信部２０１、およびＨＳＤＰＡ対応無線基地局４Ｈを経由して、その携帯電話端末１に届けられる。そして、その携帯電話端末１は、受信したマルチメディアデータに基づいてマルチメディアコンテンツを再生し、動画像を液晶パネルに表示しスピーカから音声を出力する。
【００６３】
以下、配信サーバ５から発信されるマルチメディアデータを「マルチメディアデータＭＤ０」と記載する。
【００６４】
その後、ＨＳＤＰＡ対応無線基地局４Ｈと通信中である携帯電話端末１が移動すると、ＨＳＤＰＡ非対応無線基地局４Ｎのセルに接近することがある。
【００６５】
〔配信方法の切換えの準備の処理〕
基地局制御装置２において、配信データ切換制御部２０５は、ＨＳＤＰＡ対応無線基地局４Ｈと通信中である携帯電話端末１がＨＳＤＰＡ非対応無線基地局４Ｎに接近していることを検知する。例えば、ＨＳＤＰＡ非対応無線基地局４Ｎがその携帯電話端末１から受信する電波の強さが所定の値以上になった場合に、ＨＳＤＰＡ非対応無線基地局４Ｎに接近していると検知すればよい。または、ハンドオーバ制御部２０７がその携帯電話端末１をＨＳＤＰＡ対応無線基地局４ＨからＨＳＤＰＡ非対応無線基地局４Ｎにハンドオーバさせようとしたことに基づいて、検知してもよい。
【００６６】
配信データ切換制御部２０５は、ＨＳＤＰＡ非対応無線基地局４Ｎに接近していることを検知すると、その携帯電話端末１に対して、マルチメディアデータの配信方法を変更する旨を通知するとともに、配信方法を変更するための処理を実行するように、データ変換蓄積サーバ３に対して指令する。この際に、その携帯電話端末１の端末管理データ８Ａに示される配信方法および端末識別番号と接近しているＨＳＤＰＡ非対応無線基地局４Ｎからの下りの通信速度とを示す配信変更属性データ８Ｃを、データ変換蓄積サーバ３に送信する。
【００６７】
データ変換蓄積サーバ３において、ＲＮＣ通信制御部３０１によって配信変更属性データ８Ｃが受信されると、データ変換分析部３０２は、その配信変更属性データ８Ｃを次のように分析し、データ変換等制御部３０３は、その分析結果に応じて動画像変換部位予約データベース３１２に、次のように、マルチメディアデータＭＤ０のコーデックまたは蓄積の予約を行う。
【００６８】
データ変換分析部３０２は、配信変更属性データ８Ｃに示される配信方法をチェックする。
【００６９】
配信方法が「画質を落として継続」である場合は、さらに、その配信変更属性データ８Ｃに示される下りの通信速度と図５の動画像変換定義データベース３１１とを照合することによって、その通信速度に好適な、マルチメディアデータの配信ビットレートを決定する。そして、動画像変換部位予約データベース３１２の中の空いている画像変換部位（エリア、レコード）を検索し、その画像変換部位に、その配信変更属性データ８Ｃに示される端末識別番号および配信方法と決定した配信ビットレートとを示す情報を、格納する。これにより、予約が完了する。
【００７０】
例えば、接近しているＨＳＤＰＡ非対応無線基地局４Ｎの下りの伝送速度が「１２８ｋｂｐｓ」であれば、「１００＜Ｓ≦２００」のレコードより、配信ビットレートを「３２ｋｂｐｓ」に決定する。
【００７１】
配信方法が「音声のみ配信」または「サーバに蓄積」である場合は、動画像変換部位予約データベース３１２の中の空いている画像変換部位に、その配信変更属性データ８Ｃに示される端末識別番号および配信方法を示す情報を、格納する。これにより、予約が完了する。配信ビットレートの算出は行わない。
【００７２】
予約が完了することによって、マルチメディアデータＭＤ０の変換または蓄積のためのリソースがデータ変換蓄積サーバ３に確保される。これにより、配信方法の切換えの準備が完了する。
【００７３】
〔配信方法の切換え〕
図１０は携帯電話端末１がＨＳＤＰＡ非対応無線基地局４Ｎに接近したことが検知されてから再びＨＳＤＰＡ対応無線基地局４Ｈにハンドオーバされるまでの間のマルチメディアデータＭＤ０の処理の流れの例を示す図、図１１は携帯電話端末１がＨＳＤＰＡ非対応無線基地局４Ｎに接近したことが検知されてから再びＨＳＤＰＡ対応無線基地局４Ｈにハンドオーバされるまでの間のマルチメディアデータＭＤ０の処理の流れの他の例を示す図である。
【００７４】
基地局制御装置２の呼制御部２０２は、配信方法を切り換える準備が完了したら、送信先の携帯電話端末１に対して、これから切換えを行うことを通知する。
【００７５】
そして、基地局制御装置２およびデータ変換蓄積サーバ３の各部は、ユーザが選択した配信方法によって、次のような処理を行う。
【００７６】
（１）  ユーザが選択した配信方法が「画質を落として継続」である場合
ＨＳＤＰＡ非対応無線基地局４Ｎに接近している携帯電話端末１へのマルチメディアデータの配信方法の切換えの準備が完了すると、基地局制御装置２の配信データ切換制御部２０５の制御処理によって、データ変換制御部２０４およびデータ配信制御部２１０は、次のような処理を行う。
【００７７】
データ変換制御部２０４は、動画像の画質を落とす処理をその携帯電話端末１へのマルチメディアデータＭＤ０に施すように、データ変換蓄積サーバ通信部２０６を介してデータ変換蓄積サーバ３に対して指令する。この際に、その携帯電話端末１の端末識別番号をデータ変換蓄積サーバ３に通知しておく。さらに、配信サーバ５から引き続き送信されてくる、その携帯電話端末１のためのマルチメディアデータＭＤ０の続きの部分を、データ変換蓄積サーバ３に転送させる。
【００７８】
すると、データ変換蓄積サーバ３において、動画像変換部位予約データベース３１２（図６参照）に登録されている、その携帯電話端末１の予約の「配信ビットレート」に基づいて、データ変換等制御部３０３は、基地局制御装置２から転送されてくるマルチメディアデータＭＤ０に対して動画像の画質を落とすコーデックの処理を施す。つまり、その配信ビットレートで送信可能な画質まで、動画像の画質を落とす。フレームレートを下げることによって画質を落としてもよいし、解像度を下げることによって画質を落としてもよい。以下、画質を落とすコーデックの処理が施されたマルチメディアデータＭＤ０を「マルチメディアデータＭＤ１」と記載する。
【００７９】
変換配信部位プール部３０４は、マルチメディアデータＭＤ１を、転送元の基地局制御装置２に送信する。
【００８０】
基地局制御装置２において、データ配信制御部２１０は、マルチメディアデータＭＤ１がデータ変換蓄積サーバ３から送信されてくると、その携帯電話端末１にマルチメディアデータＭＤ０を送信するのを停止し、その代わりに、マルチメディアデータＭＤ１をその携帯電話端末１に送信する。
【００８１】
以上説明したように、マルチメディアデータは、図１０に丸数字で示す順番の通りに処理され携帯電話端末１に配信されるようになる。その携帯電話端末１は、受信したマルチメディアデータＭＤ１に基づいて、当初よりも画質の低いマルチメディアコンテンツを再生し、動画像を液晶パネルに表示しスピーカから音声を出力する。
【００８２】
（２）  ユーザが選択した配信方法が「音声のみ受信」である場合
この場合の各部の処理の内容は、上述の「画質を落として継続」の場合と基本的に同様である。
【００８３】
ただし、データ変換制御部２０４は、動画像をカットする処理をその携帯電話端末１へのマルチメディアデータＭＤ０に施すように、データ変換蓄積サーバ３に対して指令する。
【００８４】
データ変換蓄積サーバ３のデータ変換等制御部３０３は、基地局制御装置２から転送されてくるマルチメディアデータＭＤ０に対して動画像の部分をカット（削除）し音声の部分を残すコーデックの処理を施す。以下、動画像の部分をカットするコーデックの処理が施されたマルチメディアデータＭＤ０を「マルチメディアデータＭＤ２」と記載する。
【００８５】
そして、このマルチメディアデータＭＤ２は、上述の「画質を落として継続」の場合と同様に、図１０に示すような順序で携帯電話端末１に届けられる。その携帯電話端末１は、受信したマルチメディアデータＭＤ２に基づいて音声のみの再生を行う。
【００８６】
（３）  ユーザが選択した配信方法が「サーバに蓄積」である場合
データ変換制御部２０４は、マルチメディアデータＭＤ０を蓄積する処理を実行するようにデータ変換蓄積サーバ３に対して指令する。この際に、「画質を落として継続」および「音声のみ受信」の場合と同様に、その携帯電話端末１の端末識別番号をデータ変換蓄積サーバ３に通知しておく。さらに、配信サーバ５から引き続き送信されてくる、その携帯電話端末１のためのマルチメディアデータＭＤ０の続きの部分を、データ変換蓄積サーバ３に転送させる。
【００８７】
データ配信制御部２１０は、その携帯電話端末１へのマルチメディアデータＭＤ０の送信を停止する。
【００８８】
データ変換蓄積サーバ３において、データ変換等制御部３０３は、基地局制御装置２から転送されてくるマルチメディアデータＭＤ０を所定の記憶領域に蓄積（保存）する処理を開始する。以下、所定の記憶領域に蓄積されたマルチメディアデータＭＤ０を「マルチメディアデータＭＤ３」と記載する。
【００８９】
マルチメディアデータＭＤ０は、図１１に丸数字で示す順番の通りに処理され、データ変換蓄積サーバ３に蓄積される。携帯電話端末１への配信は、停止する。その携帯電話端末１は、マルチメディアコンテンツの再生を停止する。
【００９０】
〔配信方法の再切換え〕
図１２は携帯電話端末１が再びＨＳＤＰＡ対応無線基地局４Ｈにハンドオーバされた後のマルチメディアデータＭＤ０、ＭＤ３の処理の流れの例を示す図である。
【００９１】
ＨＳＤＰＡ非対応無線基地局４Ｎと通信していた携帯電話端末１がＨＳＤＰＡ対応無線基地局４Ｈにハンドオーバされたことが検知されると、本来の質のマルチメディアデータがその携帯電話端末１に配信されるように、基地局制御装置２の各部およびデータ変換蓄積サーバ３の各部は、次のような処理を行う。
【００９２】
（１）  ユーザが選択した配信方法が「画質を落として継続」または「音声のみ受信」である場合
基地局制御装置２において、配信データ切換制御部２０５は、配信サーバ５から引き続き送信されてくる、その携帯電話端末１のためのマルチメディアデータＭＤ０の続きを、データ変換蓄積サーバ３に転送するのを停止させる。その代わりに、そのマルチメディアデータＭＤ０の続きをそのままその携帯電話端末１に送信するように、データ配信制御部２１０を制御する。
【００９３】
また、携帯電話端末１に対して、本来の質に戻してマルチメディアコンテンツを継続する旨を通知する。
【００９４】
データ変換蓄積サーバ３において、その携帯電話端末１のための予約が動画像変換部位予約データベース３１２（図６参照）から開放され（つまり、「空」にされ）、そのマルチメディアデータＭＤ０をマルチメディアデータＭＤ１に変換する処理を終了する。
【００９５】
これにより、マルチメディアデータＭＤ０は、再び、図９に丸数字で示す順番の通りに処理され、その携帯電話端末１に届けられる。そして、その携帯電話端末１は、本来の質のマルチメディアコンテンツを再生する。
【００９６】
（２）  ユーザが選択した配信方法が「サーバに蓄積」である場合
配信データ切換制御部２０５は、その携帯電話端末１のために蓄積しているマルチメディアデータＭＤ３を配信するように、データ変換蓄積サーバ３に対して指令する。
【００９７】
すると、データ変換蓄積サーバ３において、変換配信部位プール部３０４は、所定の記憶領域に蓄積されているマルチメディアデータＭＤ３の出力を開始する。そのマルチメディアデータＭＤ３は、図１２の丸数字１３以降の順序の通り、ＲＮＣ通信制御部３０１、データ変換蓄積サーバ通信部２０６、データ配信制御部２１０、Ｂ−Ｎｏｄｅ通信部２０１、およびＨＳＤＰＡ対応無線基地局４Ｈを経由して携帯電話端末１に届けられる。
【００９８】
携帯電話端末１は、送信されてきたマルチメディアデータＭＤ３に基づいて、マルチメディアコンテンツの再生を、前に停止したところから再開する。
【００９９】
その後、携帯電話端末１においてそのマルチメディアコンテンツの再生が終了したら、その携帯電話端末１のための予約を動画像変換部位予約データベース３１２から開放する（つまり、「空」にする）。
【０１００】
図１３および図１４は携帯電話端末１の移動に伴うマルチメディアデータＭＤ０、ＭＤ１の中継の変化を説明するための図、図１５および図１６は複数の基地局制御装置２を跨いだ携帯電話端末１の移動に伴うマルチメディアデータＭＤ０、ＭＤ１の中継の変化を説明するための図である。
【０１０１】
次に、あるユーザが移動しながらマルチメディアコンテンツを楽しむ場合における、マルチメディアデータの配信方法の変化について、簡説明する。
【０１０２】
なお、図１３〜図１６において、点線の楕円はＨＳＤＰＡ対応無線基地局４Ｈのセルを意味し、一点鎖線の楕円はＨＳＤＰＡ非対応無線基地局４Ｎのセルを意味する。また、そのユーザの携帯電話端末１を「携帯電話端末１Ａ」と記載する。複数のＨＳＤＰＡ対応無線基地局４Ｈ同士を区別するために、それぞれを「ＨＳＤＰＡ対応無線基地局４ＨＡ」、「ＨＳＤＰＡ対応無線基地局４ＨＢ」、…、と記載する。ＨＳＤＰＡ非対応無線基地局４Ｎについても、同様である。
【０１０３】
図１３において、ユーザは、ＨＳＤＰＡ対応無線基地局４ＨＡのセルの場所で、携帯電話端末１Ａを操作し、自分の所望するマルチメディアコンテンツを配信サーバ５に対して要求する。この際に、ユーザは、ＨＳＤＰＡ非対応無線基地局４Ｎのセルに移動した際の配信方法を選択し、それを基地局制御装置２に通知しておく。以下、「画質を落として継続」を選択した場合について説明する。
【０１０４】
配信サーバ５は、従来通り、ＧＰＲＳサポートノード６、基地局制御装置２、およびＨＳＤＰＡ対応無線基地局４ＨＡを介して、ユーザが要求したマルチメディアコンテンツのマルチメディアデータＭＤ０を携帯電話端末１Ａに配信する。
【０１０５】
ユーザがＨＳＤＰＡ対応無線基地局４ＨＢ、４ＨＣの各セルの順に移動しても、マルチメディアデータＭＤ０が引き続き携帯電話端末１Ａに配信される。
【０１０６】
ユーザがＨＳＤＰＡ非対応無線基地局４ＮＡに接近すると、基地局制御装置２は、マルチメディアデータＭＤ０の続きの部分をデータ変換蓄積サーバ３に転送する。データ変換蓄積サーバ３は、ユーザが選択した配信方法（ここでは、画質を落として配信を継続する方法）で、そのマルチメディアデータＭＤ０の続きの部分に対する処理を行う。
【０１０７】
すなわち、データ変換蓄積サーバ３は、画質をＨＳＤＰＡ非対応無線基地局４ＮＡにおける下りの配信ビットレートに落とすコーデックの処理をそのマルチメディアデータＭＤ０の続きの部分に施し、マルチメディアデータＭＤ１を生成する。そして、そのマルチメディアデータＭＤ１を、基地局制御装置２およびＨＳＤＰＡ対応無線基地局４ＨＣを介して携帯電話端末１Ａに配信する。
【０１０８】
その後、さらにユーザが移動しＨＳＤＰＡ非対応無線基地局４ＮＡのセルに入ると、携帯電話端末１Ａは、ＨＳＤＰＡ対応無線基地局４ＨＣからＨＳＤＰＡ非対応無線基地局４ＮＡにハンドオーバされる。そして、次にいずれかのＨＳＤＰＡ対応無線基地局４Ｈにハンドオーバされるまでの間、マルチメディアデータＭＤ０がデータ変換蓄積サーバ３においてマルチメディアデータＭＤ１に変換され、そのマルチメディアデータＭＤ１が携帯電話端末１Ａに配信され続ける。
【０１０９】
図１４に示すように、さらにユーザが移動しＨＳＤＰＡ対応無線基地局４ＨＤのセルに入り、携帯電話端末１ＡがＨＳＤＰＡ非対応無線基地局４ＮＢからＨＳＤＰＡ対応無線基地局４ＨＤにハンドオーバされると、データ変換蓄積サーバ３はマルチメディアデータＭＤ１への変換の処理を終了する。そして、配信サーバ５から発信されるマルチメディアデータＭＤ０の続きの部分が再びデータ変換蓄積サーバ３を介さずに携帯電話端末１Ａに配信されるようになる。
【０１１０】
なお、ハンドオーバに伴って、携帯電話端末１Ａが通信を行う無線基地局４を制御する基地局制御装置２が変わることがある。例えば、図１５および図１６に示すように、基地局制御装置２Ａから基地局制御装置２Ｂに変わることがある。この場合は、データ変換蓄積サーバ３は、携帯電話端末１ＡがＨＳＤＰＡ対応無線基地局４ＨＣからＨＳＤＰＡ非対応無線基地局４ＮＡにハンドオーバするのに伴って、マルチメディアデータＭＤ１を、図１５のように基地局制御装置２ＡおよびＨＳＤＰＡ対応無線基地局４ＨＣを介して携帯電話端末１Ａに配信していたのを、図１６のように基地局制御装置２ＢおよびＨＳＤＰＡ非対応無線基地局４ＮＡに介して配信するように変更すればよい。
【０１１１】
本実施形態によると、ＨＳＤＰＡ対応の無線基地局（ＨＳＤＰＡ対応無線基地局４Ｈ）と従来の規格のみに対応した無線基地局（ＨＳＤＰＡ非対応無線基地局４Ｎ）とが混在した移動通信システムにおいても、配信サーバ５から携帯電話端末１へのマルチメディアデータの配信を従来よりも円滑に行い、かつ、ユーザの希望通りにコンテンツを提供できるようにすることができる。
【０１１２】
本実施形態では、下りの通信に関する例について説明したが、上りの通信つまり携帯電話端末１からデータを発信する場合は、次のように構成してもよい。
【０１１３】
ＨＳＵＰＡ（High Speed Uplink Packet Access）に対応した無線基地局４と非対応の無線基地局４とが混在している携帯電話システム１ＫＳにおいて、携帯電話端末１は、ＨＳＵＰＡに対応した無線基地局４を介して高解像度の動画像（例えば、携帯電話端末１のビデオカメラ機能を使って撮影した映像）のデータを発信し始める。基地局制御装置２は、その携帯電話端末１がＨＳＵＰＡ非対応の無線基地局４のセルに接近していることを検知すると、その旨をその携帯電話端末１に通知する。
【０１１４】
すると、携帯電話端末１は、その後、動画像の解像度を落としてデータの送信を続ける。
【０１１５】
基地局制御装置２は、その携帯電話端末１がＨＳＵＰＡに対応した無線基地局４にハンドオーバしたら、その旨をその携帯電話端末１に通知する。
【０１１６】
すると、携帯電話端末１は、その後、動画像の解像度を元に戻して（つまり、高解像度に戻して）データの送信を続ける。
【０１１７】
本実施形態では、Ｗ−ＣＤＭＡの高速通信に対応したセルと非対応のセルとが混在している場合を例に説明したが、本発明は、他の規格（１ｘＥＶ−ＤＯ、ＣＤＭＡ２０００、ＰＨＳ、無線ＬＡＮなど）において高速通信に対応したセルと非対応のセルとが混在している場合にも、適用可能である。
【０１１８】
本実施形態では、マルチメディアデータの配信を受ける前に（方法Ａ）〜（方法Ｃ）のうちのいずれかをユーザに選択させたが、ＨＳＤＰＡ非対応無線基地局４Ｎのセルに接近するごとにユーザにその旨を通知しいずれかを選択させてもよい。
【０１１９】
本実施形態では、（方法Ａ）において、動画像の質のみを落としたが、音声の質を落としてもよい。または、データのフォーマットを変更することによって、データの縮小を図ってもよい。
【０１２０】
その他、携帯電話システム１ＫＳ、携帯電話端末１、基地局制御装置２、データ変換蓄積サーバ３の全体または各部の構成、処理内容、処理順序、データベースの構成などは、本発明の趣旨に沿って適宜変更することができる。
【０１２１】
上に述べた実施例には、以下に述べるような付記も開示されている。
（付記１）
第一の通信規格によって移動機と通信を行う第一の無線基地局と、前記第一の通信規格よりも低速である第二の通信規格によって移動機と通信を行う第二の無線基地局と、によって構成される移動通信システムにおいて用いられる、データ転送システムであって、
サーバから送信された第一のデータに対して特定の処理を施すことによって当該第一のデータよりもサイズの小さい第二のデータを生成する縮小データ生成手段と、
前記第一のデータおよび前記縮小データ生成手段によって生成された当該第一のデータに係る前記第二のデータのうちのいずれか一方を選択的に移動機に転送するデータ転送手段と、
前記第一のデータを受信中でありかつ前記第二の無線基地局に接近している移動機を検知する接近移動機検知手段と、を有し、
前記データ転送手段は、前記接近移動機検知手段によって検知された移動機に対しては、検知された後は、前記第一のデータを送信するのを停止し、その代わりに、前記縮小データ生成手段によって生成された、当該第一のデータの未転送の部分に係る前記第二のデータを転送し始める、
ことを特徴とするデータ転送システム。
（付記２）
前記第二のデータを受信中でありかつ前記第一の無線基地局にハンドオーバされた移動機を検知するハンドオーバ移動機検知手段、を有し、
前記データ転送手段は、前記ハンドオーバ移動機検知手段によって検知された移動機に対しては、検知された後は、前記第二のデータを送信するのを停止し、その代わりに、当該第二のデータの未転送の部分の前記第一のデータを転送し始める、
付記１記載のデータ転送システム。
（付記３）
前記第一のデータは、動画像を再生するためのデータであって、
前記縮小データ生成手段は、前記第一のデータに係る動画像の画質を落とすことによって前記第二のデータを生成する、
付記１または付記２記載のデータ転送システム。
（付記４）
前記縮小データ生成手段は、前記第二の無線基地局から移動機への通信速度に応じて前記第一のデータに係る動画像の画質を落とすことによって前記第二のデータを生成する、
付記３記載のデータ転送システム。
（付記５）
前記第一のデータは、動画像および音声を再生するためのデータであって、
前記縮小データ生成手段は、動画像を再生する部分のデータを前記第一のデータから削除することによって前記第二のデータを生成する、
付記１または付記２記載のデータ転送システム。
（付記６）
第一の通信規格によって移動機と通信を行う第一の無線基地局と、前記第一の通信規格よりも低速である第二の通信規格によって移動機と通信を行う第二の無線基地局と、によって構成される移動通信システムにおいて、
サーバから配信されるデータを移動機に中継する中継手段と、
前記データを受信中でありかつ前記第二の無線基地局に接近している移動機を検知する接近移動機検知手段と、
前記接近移動機検知手段によって検知された移動機に前記データを中継するのを前記中継手段に停止させる、中継停止制御手段と、
前記中継手段が移動機に対して前記データを中継するのを停止した後、前記サーバから配信される前記データの残りの部分を当該移動機のために蓄積する、蓄積手段と、
前記接近移動機検知手段によって検知された移動機のうち、前記第二の無線基地局から前記第一の無線基地局にハンドオーバした移動機を検知する、ハンドオーバ移動機検知手段と、
前記ハンドオーバ移動機検知手段によって検知された移動機に対して前記蓄積手段に当該移動機のために蓄積した前記データの残りの部分を中継するように、前記中継手段を制御する、中継再開制御手段と、
を有することを特徴とするデータ転送システム。
（付記７）
第一の通信規格によって移動機と通信を行う第一の無線基地局と、前記第一の通信規格よりも低速である第二の通信規格によって移動機と通信を行う第二の無線基地局と、によって構成される移動通信システムにおいて用いられる、接近通知システムであって、
前記第一の無線基地局と通信を行っておりかつ前記第二の無線基地局に接近している移動機を検知する接近移動機検知手段と、
前記接近移動機検知手段によって検知された移動機に対して、前記第二の無線基地局に接近している旨を通知する、接近通知手段と、
を有することを特徴とする接近通知システム。
（付記８）
第一の通信規格によって移動機と通信を行う第一の無線基地局と、前記第一の通信規格よりも低速である第二の通信規格によって移動機と通信を行う第二の無線基地局と、によって構成される移動通信システムにおいて、
第一のデータを送信するサーバと前記第一の無線基地局および前記第二の基地局との間にデータ転送システムを設けておき、
前記データ転送システムに、
サーバから送信された第一のデータに対して特定の処理を施すことによって当該第一のデータよりもサイズの小さい第二のデータを生成する縮小データ生成手段と、
前記第一のデータおよび前記縮小データ生成手段によって生成された当該第一のデータに係る前記第二のデータのうちのいずれか一方を選択的に移動機に転送するデータ転送手段と、
前記第一のデータを受信中でありかつ前記第二の無線基地局に接近している移動機を検知する接近移動機検知手段と、を設けておき、
前記接近移動機検知手段によって移動機が検知された場合に、
前記データ転送手段に、当該移動機に前記第一のデータを送信するのを停止させ、その代わりに、前記縮小データ生成手段によって生成された、当該第一のデータの未転送の部分に係る前記第二のデータを転送させる、
ことを特徴とするデータ転送方法。
（付記９）
前記移動通信システムの中の基地局制御装置と通信回線を介して接続されるデータ変換装置を用意し、
前記データ転送手段および前記接近移動機検知手段を前記基地局制御装置ごとに設けておき、
前記縮小データ生成手段を前記データ変換装置に設けておく、
付記８記載のデータ転送方法。
（付記１０）
第一の通信規格によって移動機と通信を行う第一の無線基地局と、前記第一の通信規格よりも低速である第二の通信規格によって移動機と通信を行う第二の無線基地局と、によって構成される移動通信システムにおいて、
前記第一の無線基地局を介して他の装置に第一のデータを送信している移動機が前記第二の無線基地局に接近していることを検知した場合に、前記第二の無線基地局に接近している旨の通知を当該移動機に対して与え、
前記通知を受けた移動機に、
前記第一のデータの未送信の部分に対して特定の処理を施すことによって当該第一のデータよりもサイズの小さい第二のデータを生成させ、
前記第一のデータを停止させ、その代わりに、前記第二のデータを送信させる、
ことを特徴とする移動機におけるデータ送信の制御方法。
（付記１１）
第一の通信規格によって移動機と通信を行う第一の無線基地局と、前記第一の通信規格よりも低速である第二の通信規格によって移動機と通信を行う第二の無線基地局と、によって構成される移動通信システムにおいて、
前記第一の無線基地局と通信を行っておりかつ前記第二の無線基地局に接近している移動機を検知し、
検知した移動機に対して、前記第二の無線基地局に接近している旨を通知する、
ことを特徴とする接近通知方法。
【図面の簡単な説明】
【０１２２】
【図１】携帯電話システムの全体的な構成の例を示す図である。
【図２】携帯電話端末の構成の例を示す図である。
【図３】データ変換蓄積サーバのハードウェア構成の例を示す図である。
【図４】データ変換蓄積サーバの機能的構成の例を示す図である。
【図５】動画像変換定義データベースの例を示す図である。
【図６】動画像変換部位予約データベースの例を示す図である。
【図７】基地局制御装置２の構成の例を示す図である。
【図８】通信中端末情報管理データベースの例を示す図である。
【図９】携帯電話端末がＨＳＤＰＡ非対応無線基地局に接近する前のマルチメディアデータの処理の流れの例を示す図である。
【図１０】携帯電話端末がＨＳＤＰＡ非対応無線基地局に接近したことが検知されてから再びＨＳＤＰＡ対応無線基地局にハンドオーバされるまでの間のマルチメディアデータの処理の流れの例を示す図である。
【図１１】携帯電話端末がＨＳＤＰＡ非対応無線基地局に接近したことが検知されてから再びＨＳＤＰＡ対応無線基地局にハンドオーバされるまでの間のマルチメディアデータの処理の流れの他の例を示す図である。
【図１２】携帯電話端末が再びＨＳＤＰＡ対応無線基地局にハンドオーバされた後のマルチメディアデータの処理の流れの例を示す図である。
【図１３】携帯電話端末の移動に伴うマルチメディアデータの中継の変化を説明するための図である。
【図１４】携帯電話端末の移動に伴うマルチメディアデータの中継の変化を説明するための図である。
【図１５】複数の基地局制御装置を跨いだ携帯電話端末の移動に伴うマルチメディアデータの中継の変化を説明するための図である。
【図１６】複数の基地局制御装置を跨いだ携帯電話端末１の移動に伴うマルチメディアデータの中継の変化を説明するための図である。
【符号の説明】
【０１２３】
１ＫＳ  携帯電話システム（移動通信システム）
１  携帯電話端末（移動機）
２  基地局制御装置
２０２  呼制御部
２０５  配信データ切換制御部
２１０  データ配信制御部
３  データ変換蓄積サーバ
３０３  データ変換等制御部
５  配信サーバ
【図１】
2008166871.tif 000003
【図２】
2008166871.tif 000004
【図３】
2008166871.tif 000005
【図４】
2008166871.tif 000006
【図５】
2008166871.tif 000007
【図６】
2008166871.tif 000008
【図７】
2008166871.tif 000009
【図８】
2008166871.tif 000010
【図９】
2008166871.tif 000011
【図１０】
2008166871.tif 000012
【図１１】
2008166871.tif 000013
【図１２】
2008166871.tif 000014
【図１３】
2008166871.tif 000015
【図１４】
2008166871.tif 000016
【図１５】
2008166871.tif 000017
【図１６】
2008166871.tif 000018